(57)【要約】      （修正有）【課題】パッシブ光ネットワークの光ネットワークユニットの電力消費を低減するための方法を提供する。【解決手段】パッシブ光ネットワークは、通信ネットワークに接続された光回線ターミナルと、光スプリッターと、複数の光ネットワークユニットＯＮＵとを含む、方法。前記光回線ターミナルは、前記通信ネットワークからデータを受信し、前記データが対象とする前記光ネットワークユニットを識別し、前記データを記憶し、前記識別された光ネットワークユニットが、該識別された光ネットワークユニットが前記データを受信する第１の時間期間を決定することを可能にする情報を転送し、前記第１の時間期間に従って前記データを転送する。【選択図】図７
2011182395.tif 000002
【特許請求の範囲】
【請求項１】
パッシブ光ネットワークの光ネットワークユニットの電力消費を低減するための方法であって、
前記パッシブ光ネットワークは、通信ネットワークに接続された光回線ターミナル（ＯＬＴ）と、スプリッター（ＳＰＬ）と、複数の光ネットワークユニット（ＯＮＵ１，ＯＮＵＫ）とを含み、
前記光回線ターミナルは光ファイバー（ＦＯＳ）を通じて前記スプリッターにリンクされ、
前記スプリッターは、前記複数の光ネットワークユニットに、それぞれの光ファイバー（Ｆ１，ＦＫ）を通じてリンクされる
方法において、前記方法は、
前記光回線ターミナルによって実行される連続したステップとして、
‐前記通信ネットワークからデータを受信するステップ（Ｓ７００）と、
‐データが対象とする前記光ネットワークユニットを識別するステップ（Ｓ７０１）と、
‐前記データを記憶するステップ（Ｓ７０２）と、
‐情報を転送するステップ（Ｓ７０４）であって、
前記情報は、前記識別された光ネットワークユニットが第１の時間期間を決定することを可能にする情報であり、
前記第１の時間期間は、前記識別された光ネットワークユニットがデータを受信する時間期間である、
情報を転送するステップ（Ｓ７０４）と、
‐前記第１の時間期間に従ってデータを転送するステップ（Ｓ７０５）と、
を含むことを特徴とする、方法。
【請求項２】
情報は、第１のメッセージにおいて転送され、
前記第１のメッセージは、少なくとも前記識別された光ネットワークユニットが、次のメッセージ受信時間を決定することを可能にする情報をさらに含み、
少なくとも前記識別された光ネットワークユニットが、次のメッセージ受信時間を決定することを可能にする前記情報は、前記識別された光ネットワークユニットがデータを受信する次の時間期間を、前記識別された光ネットワークユニットが決定することを可能にする情報を含む
ことを特徴とする、請求項１に記載の方法。
【請求項３】
前記方法は、
‐第２の時間期間において、少なくとも１つの光ネットワークユニットによるデータ転送要求を表す少なくとも１つの第２のメッセージを受信するステップと、
‐１つの第２のメッセージを転送できる少なくとも１つの光ネットワークユニットを識別するステップと、
‐前記パッシブ光ネットワークのリソースを、１つの第２のメッセージを転送できる前記少なくとも１つの識別された光ネットワークユニットに割り当てるステップと、
をさらに含むことを特徴とする、請求項１又は２に記載の方法。
【請求項４】
１つの第２のメッセージを転送できる前記少なくとも１つの光ネットワークユニットは、前記少なくとも１つの第２のメッセージが、前記第２の時間期間のどのタイムスロットで転送されるかを識別することによって、識別される
ことを特徴とし、
前記少なくとも１つの第２のメッセージは、前記少なくとも１つの光ネットワークユニットによるデータ転送要求を表す、
請求項３に記載の方法。
【請求項５】
前記方法は、
‐少なくとも１つの光ネットワークユニットは、転送すべきデータを有しないと判断するステップと、
‐時間サイクル内に前記第２の時間期間を挿入するステップと
をさらに含み、
前記第２の時間期間は、転送すべきデータを有しない前記少なくとも１つの光ネットワークユニットが、少なくとも１つの第２のメッセージを転送することができる時間期間であり、
前記第２のメッセージは、前記少なくとも１つの光ネットワークユニットによるデータ転送要求を表す
ことを特徴とする、請求項４に記載の方法。
【請求項６】
前記方法は、前記時間サイクル内で前記第２の時間期間を決定することを可能にする情報を転送するステップをさらに含み、
前記第２の時間期間は、転送すべきデータを有しない前記少なくとも１つの光ネットワークユニットが、少なくとも１つの第２のメッセージを転送することができる時間期間である
ことを特徴とする、請求項５に記載の方法。
【請求項７】
前記方法は、
‐転送すべきデータを有する各光ネットワークユニットを決定するステップと、
‐前記時間サイクル内で前記第２の時間期間を抑制するステップと
をさらに含み、
前記第２の時間期間は、転送すべきデータを有しない前記少なくとも１つの光ネットワークユニットが、少なくとも１つの第２のメッセージを転送することができる時間期間であり、
前記第２のメッセージは、前記少なくとも１つの光ネットワークユニットによるデータ転送要求を表すメッセージである、
ことを特徴とする、請求項５又は６に記載の方法。
【請求項８】
前記方法は、
少なくとも１つの光ネットワークユニットによって実行される複数のステップとして、
‐第１の時間期間を決定することを可能にする情報を受信するステップであって、前記第１の時間期間は、前記光ネットワークユニットがデータを受信する時間期間である、第１の時間期間を決定することを可能にする情報を受信するステップと、
‐前記決定された第１の時間期間に従って、少なくとも１つの構成要素を、前記光ネットワークユニットの電力消費が低減される状態に設定するステップと
を含み、
前記少なくとも１つの構成要素は、前記光ファイバーから信号を受信するのに使用される構成要素であり、
前記光ファイバーは、前記光ネットワークユニットを前記スプリッターにリンクするものである
ことを特徴とする、請求項１に記載の方法。
【請求項９】
前記情報は、次の第１のメッセージの受信時間を決定することを可能にする情報をさらに含むメッセージにおいて受信されることを特徴とし、かつ、
前記次のメッセージ受信時間を前記決定することを可能にする情報に従って、前記少なくとも１つの構成要素を、前記光ネットワークユニットの電力消費が低減される状態にすることを特徴とし、
前記少なくとも１つの構成要素は、前記光ファイバーから信号を受信するのに使用される構成要素であり、
前記光ファイバーは、前記光ネットワークユニットを前記スプリッターにリンクするものであり、
前記次のメッセージ受信時間を前記決定することを可能にする前記情報は、前記識別された光ネットワークユニットが、データを受信する次の時間期間を決定することを可能にする情報を含む情報である、
請求項８に記載の方法。
【請求項１０】
前記方法は、
‐前記光ファイバーを通じて転送しなくてはならないデータがないと判断するステップと、
‐少なくとも１つの構成要素を、前記光ネットワークユニットの電力消費が低減される状態に設定するステップと、
をさらに含むことを特徴とし、
前記光ファイバーは、前記光ネットワークユニットを前記スプリッターにリンクするものであり、
前記少なくとも１つの構成要素は、前記光ファイバーを通じて信号を転送するのに使用される構成要素である
請求項８又は９に記載の方法。
【請求項１１】
前記方法は、
‐前記光ファイバーを通じてデータ転送要求を識別するステップと、
‐少なくとも１つの構成要素を、前記光ネットワークユニットの電力消費が低減されない状態に設定するステップと、
‐第２の時間期間において、前記光ネットワークによる前記データ転送要求を表す１つの第２のメッセージを転送するステップと、
をさらに含むことを特徴とし、
前記光ファイバーは、前記光ネットワークユニットを前記スプリッターにリンクするものであり、
前記少なくとも１つの構成要素は、前記光ファイバーを通じて信号を転送するのに使用される構成要素である
請求項１０に記載の方法。
【請求項１２】
パッシブ光ネットワークの光ネットワークユニットの電力消費を低減するためのデバイスであって、
前記パッシブ光ネットワークは、通信ネットワークに接続された光回線ターミナル（ＯＬＴ）と、スプリッター（ＳＰＬ）と、複数の光ネットワークユニット（ＯＮＵ１，ＯＮＵＫ）とを含み、
前記光回線ターミナルは光ファイバー（ＦＯＳ）を通じて前記スプリッターにリンクされ、
前記スプリッターは、前記複数の光ネットワークユニットに、それぞれの光ファイバー（Ｆ１，ＦＫ）を通じてリンクされる
デバイスにおいて、
電力消費を制限するための前記デバイスは、前記光回線ターミナルに含まれ、
前記電力消費を制限するための前記デバイスは、
‐前記通信ネットワークからデータを受信する手段（２０６）と、
‐前記データを記憶すると共に、前記データが受信されると前記データが対象とする前記光ネットワークユニットを識別する手段（２０３）と、
‐前記データが記憶されると、前記識別された光ネットワークユニットが第１の時間期間を決定することを可能にする情報を転送する手段（２０４）であって、前記第１の時間期間は、前記識別された光ネットワークユニットが前記データを受信する時間期間である、手段（２０４）と、
‐前記情報が転送されると、前記第１の時間期間に従って前記データを転送する手段（２０４）と、
を備えることを特徴とする、デバイス。
【請求項１３】
パッシブ光ネットワークの光ネットワークユニットの電力消費を低減するためのシステムであって、
前記システムは、請求項１２に記載の電力消費を低減するためのデバイスを備え、
前記システムは、少なくとも１つの光ネットワークユニットをさらに備え、
前記少なくとも１つの光ネットワークユニットは、
‐前記光ネットワークユニットがデータを受信する第１の時間期間を決定することを可能にする情報を受信する手段（３０４）と、
‐前記決定された第１の時間期間に従って、少なくとも１つの構成要素を、前記光ネットワークユニットの消費が低減される状態に設定する手段（３００）と、
を備え、
前記少なくとも１つの構成要素は、前記光ファイバーから信号を受信するのに使用される構成要素であり、
前記光ファイバーは、前記光ネットワークユニットを前記スプリッターにリンクするものである
システム。
【請求項１４】
プログラマブルデバイスに直接ロード可能とすることができるコンピュータープログラムであって、前記コンピュータープログラムがプログラマブルデバイス上で実行されるとき、請求項１〜７のいずれか１項に記載の方法の各ステップを実施するための命令又はコード部を含む、コンピュータープログラム。
【請求項１５】
プログラマブルデバイスに直接ロード可能とすることができるコンピュータープログラムであって、前記コンピュータープログラムがプログラマブルデバイス上で実行されるとき、請求項８〜１１のいずれか１項に記載の方法の各ステップを実施するための命令又はコード部を含む、コンピュータープログラム。
【発明の詳細な説明】
【技術分野】
【０００１】
本発明は、包括的にはパッシブ光ネットワークの光ネットワークユニットの電力消費を低減するための方法及びデバイスに関する。
【背景技術】
【０００２】
パッシブ光ネットワークは、通信ネットワークに接続された光回線ターミナル（光回線終端装置、optical line terminal）と、スプリッターと、複数の光ネットワークユニット(光回線終端装置、optical network unit)とを含む。光回線ターミナルは、光ファイバーを通じてスプリッターにリンクされ、スプリッターは、それぞれの光ファイバーを通じて複数の光ネットワークユニットにリンクされる。
従来のパッシブ光ネットワークでは、送受信するデータがない場合であっても光ネットワークユニットは通常通り動作している。
【０００３】
このため、従来のパッシブ光ネットワークにおいて電力管理は効率的でない。この状況はエコロジカルでない。
【０００４】
特許文献１は、スリープモードに入ることを要求する光ネットワークユニットを開示し、光回線ターミナルが、スリープ期間が発生するとき及び長さを決定する。
【先行技術文献】
【特許文献】
【０００５】
【特許文献１】米国特許出願公開第２００９／０２６３１２号明細書
【発明の概要】
【発明が解決しようとする課題】
【０００６】
本発明は、パッシブ光ネットワークにおける電力管理を改善することを可能にする解決策を提供することを目的とする。
【課題を解決するための手段】
【０００７】
その目的のために、本発明は、パッシブ光ネットワークの光ネットワークユニットの電力消費を低減するための方法に関する。
前記パッシブ光ネットワークは、通信ネットワークに接続された光回線ターミナルと、スプリッターと、複数の光ネットワークユニットとを含み、
前記光回線ターミナルは光ファイバーを通じて前記スプリッターにリンクされ、
前記スプリッターは前記複数の光ネットワークユニットにそれぞれの光ファイバーを通じてリンクされる。
該方法は、前記光回線ターミナルによって実行されるステップとして、
‐前記通信ネットワークからデータを受信するステップと、
‐データが対象とする前記光ネットワークユニットを識別するステップと、
‐前記データを記憶するステップと、
‐情報を転送するステップであって、前記情報は、前記識別された光ネットワークユニットが時間期間を決定することを可能にする情報であり、前記時間期間は、該識別された光ネットワークユニットがデータを受信する時間期間である、情報を転送するステップと、
‐前記時間期間に従ってデータを転送するステップと、
を含むことを特徴とする。
【０００８】
本発明はまた、パッシブ光ネットワークの光ネットワークユニットの電力消費を低減するためのデバイスに関する。
前記パッシブ光ネットワークは、通信ネットワークに接続された光回線ターミナルと、スプリッターと、複数の光ネットワークユニットとを含み、
前記光回線ターミナルは光ファイバーを通じて前記スプリッターにリンクされ、
前記スプリッターは、前記複数の光ネットワークユニットにそれぞれの光ファイバーを通じてリンクされる。
電力消費を制限するための該デバイスは、前記光回線ターミナルに含まれ、
電力消費を制限するための該デバイスは、
‐前記通信ネットワークからデータを受信する手段と、
‐データが対象とする前記光ネットワークユニットを識別する手段と、
‐データを記憶する手段と、
‐前記識別された光ネットワークユニットが、該識別された光ネットワークユニットがデータを受信する第１の時間期間を決定することを可能にする情報を転送する手段と、
‐前記第１の時間期間に従ってデータを転送する手段と、
を備えることを特徴とする。
【０００９】
このため、光ネットワークユニットは、該光ネットワークユニットがいつ光回線ターミナルからデータを受信するかを決定することができるので、該光ネットワークユニットは、データを受信しないとき、ダウンリンクアイドル状態に入ることができる。ダウンリンクアイドル状態において、少なくとも１つの構成要素が、該光ネットワークユニットの電力消費が低減される状態に設定される。この少なくとも１つの構成要素は、該光ネットワークユニットをスプリッターにリンクする光ファイバーからの信号の受信に使用される構成要素である。したがって、光ネットワークユニットの電力消費が低減される。
【００１０】
さらに、光回線ターミナルは、データを記憶することによって、１つの光ネットワークユニットに転送すべきデータを、１つの時間期間にグループ化することができ、これによって通常電力消費状態とアイドル状態との間の切り替え回数が低減される。光ネットワークユニットの電力消費がさらに低減される。
【００１１】
特定の特徴によれば、情報は第１のメッセージにおいて転送され、該第１のメッセージは、少なくとも前記識別された光ネットワークユニットが、次の前記第１のメッセージの受信時間を決定することを可能にする情報をさらに含む。
【００１２】
このため、本発明は、可変の情報送信サイクルを有するパッシブ光ネットワークに適用可能である。
【００１３】
さらに、光ネットワークユニットは、光回線ターミナルからいつ情報を受信するかを決定することができるので、データ又は情報を受信しないときにダウンリンクアイドル状態に入ることができる。したがって、光ネットワークユニットの電力消費が低減される。
【００１４】
特定の特徴によれば、光回線ターミナルは、
‐第２の時間期間において、少なくとも１つの光ネットワークユニットによるデータ転送要求を表す少なくとも１つの第２のメッセージを受信し、
‐１つの第２のメッセージを転送できる少なくとも１つの光ネットワークユニットを識別し、
‐前記パッシブ光ネットワークのリソースを、１つの第２のメッセージを転送できる前記少なくとも１つの識別された光ネットワークユニットに割り当てる。
【００１５】
このため、光ネットワークユニットがパッシブ光ネットワークのリソースを要求しているか否かを知るために各光ネットワークユニットをポーリングする必要はない。
【００１６】
特定の特徴によれば、１つの第２のメッセージを転送できる前記少なくとも１つの光ネットワークユニットは、前記少なくとも１つの第２のメッセージが、前記第２の時間期間のどのタイムスロットにおいて転送されるかを識別することによって識別される。前記少なくとも１つの第２のメッセージは、前記少なくとも１つの光ネットワークユニットによるデータ転送要求を表す。
【００１７】
このため、少なくとも１つの光ネットワークユニットの識別は単純である。あるタイムスロットが複数の所定の光ネットワークユニットによって第２のメッセージを転送するのに使用される場合、全タイムスロットの総持続時間は、各タイムスロットが各光ネットワークユニットに割り当てられる場合と比較して低減される。
【００１８】
さらに、全ての光ネットワークが同じタイムスロット内で第２のメッセージを転送することができるわけではないので、限られた数の光ネットワークユニットのみがリソースを要求しているとして識別され、その限られた数の光ネットワークユニットにリソースが割り当てられる。
【００１９】
特定の特徴によれば、前記光回線ターミナルは、
‐転送すべきデータを有しない少なくとも１つの光ネットワークユニットを決定し、
‐時間サイクル内に、前記第２の時間期間を挿入する。
前記第２の時間期間は、転送すべきデータを有しない前記少なくとも１つの光ネットワークユニットが、少なくとも１つの第２のメッセージを転送することができる時間期間である。
前記少なくとも１つの第２のメッセージは、該少なくとも１つの光ネットワークユニットによるデータ転送要求を表す。
【００２０】
このため、パッシブ光ネットワークのリソース全体が効率的に使用される。
【００２１】
特定の特徴によれば、前記光回線ターミナルは、前記時間サイクル内で前記第２の時間期間を決定することを可能にする情報を転送する。
前記第２の時間期間は、転送すべきデータを有しない前記少なくとも１つの光ネットワークユニットが、少なくとも１つの第２のメッセージを転送することができる時間期間である。
【００２２】
このため、時間サイクル内における第２の時間期間のロケーションを変更することが可能である。
【００２３】
本発明の特定の特徴によれば、前記光回線ターミナルは、
‐各光ネットワークユニットが転送すべきデータを有すると判断し、
‐時間サイクル内で、前記第２の時間期間を抑制する。
前記第２の時間期間は、転送すべきデータを有しない少なくとも１つの光ネットワークユニットが、少なくとも１つの第２のメッセージを転送することができる時間期間であり、前記少なくとも１つの第２のメッセージは、該少なくとも１つの光ネットワークユニットによるデータ転送要求を表すメッセージである。
【００２４】
このため、パッシブ光ネットワークのリソース全体が効率的に使用される。
【００２５】
さらに別の態様によれば、本発明は、パッシブ光ネットワークの光ネットワークユニットの電力消費を低減するための方法に関する。
前記パッシブ光ネットワークは、通信ネットワークに接続された光回線ターミナルと、スプリッターと、複数の光ネットワークユニットとを含み、
前記光回線ターミナルは光ファイバーを通じて前記スプリッターにリンクされ、
前記スプリッターは、前記複数の光ネットワークユニットに、それぞれの光ファイバーを通じてリンクされる。
該方法は、少なくとも１つの光ネットワークユニットによって実行されるステップとして、
‐前記光ネットワークユニットがデータを受信する第１の時間期間を決定することを可能にする情報を受信するステップと、
‐前記決定された第１の時間期間に従って、少なくとも１つの構成要素を、前記光ネットワークユニットの電力消費が低減される状態に設定するステップと、
を含むことを特徴とする。
前記少なくとも１つの構成要素は、前記光ネットワークユニットを前記スプリッターにリンクする前記光ファイバーから信号を受信するのに使用される。
【００２６】
本発明はまた、パッシブ光ネットワークの光ネットワークユニットの電力消費を低減するためのデバイスに関する。
前記パッシブ光ネットワークは、通信ネットワークに接続された光回線ターミナルと、スプリッターと、複数の光ネットワークユニットとを含み、
前記光回線ターミナルは光ファイバーを通じて前記スプリッターにリンクされ、
前記スプリッターは前記複数の光ネットワークユニットにそれぞれの光ファイバーを通じてリンクされる。
電力消費を制限するための該デバイスは、１つの光ネットワークユニットに含まれ、
電力消費を制限するための該デバイスは、
‐前記光ネットワークユニットがデータを受信する第１の時間期間を決定することを可能にする情報を受信する手段と、
‐前記決定された第１の時間期間に従って、少なくとも１つの構成要素を、前記光ネットワークユニットの電力消費が低減される状態に設定する手段と、
を備えることを特徴とする。
前記少なくとも１つの構成要素は、前記光ネットワークユニットを前記スプリッターにリンクする前記光ファイバーから信号を受信するのに使用される。
【００２７】
このため、光ネットワークユニットは、該光ネットワークユニットがいつ光回線ターミナルからデータを受信するかを決定できるので、該光ネットワークユニットは、データを受信しないとき、ダウンリンクアイドル状態に入ることができる。該光ネットワークユニットの電力消費が低減される。
【００２８】
特定の特徴によれば、情報は、次の第１のメッセージにおいて受信される。第１のメッセージは、次の第１のメッセージの受信時間を決定できるようにする情報を含む。次の第１のメッセージの受信時間を決定できるようにする情報に従って、前記少なくとも１つの構成要素を、前記光ネットワークユニットの電力消費が低減される状態に設定する。前記少なくとも１つの構成要素は、前記光ネットワークユニットを前記スプリッターにリンクする前記光ファイバーから信号を受信するのに使用される。
【００２９】
このため、本発明は、可変の情報送信サイクルを有するパッシブ光ネットワークに適用可能である。
【００３０】
特定の特徴によれば、前記光ネットワークユニットは、
‐前記光ネットワークユニットを前記スプリッターにリンクする前記光ファイバーを通じて転送しなくてはならないデータがないと判断し、
‐少なくとも１つの構成要素を、前記光ネットワークユニットの電力消費が低減される状態に設定する。
前記少なくとも１つの構成要素は、前記光ネットワークユニットを前記スプリッターにリンクする前記光ファイバーを通じて信号を転送するのに使用される。
【００３１】
このため、光ネットワークユニットの電力消費が低減される。
【００３２】
特定の特徴によれば、前記光ネットワークユニットは、
‐前記光ファイバーを通じてデータ転送要求を識別し、
‐少なくとも１つの構成要素を、前記光ネットワークユニットの電力消費が低減される状態に設定し、
‐第２の時間期間において、前記光ネットワークによるデータ転送要求を表す第２のメッセージを転送する。
前記少なくとも１つの構成要素は、前記光ファイバーを通じて信号を転送するのに使用される。
前記光ファイバーは、前記光ネットワークユニットを前記スプリッターにリンクする。
【００３３】
このため、光回線ターミナルは、光ネットワークユニットがパッシブ光ネットワークのリソースを要求しているか否かを知るために各光ネットワークユニットをポーリングする必要がない。光ネットワークユニットは、転送すべきデータを有しないとき、アップリンクアイドル状態に留まることができる。
【００３４】
さらに別の態様によれば、本発明は、プログラマブルデバイスに直接ロード可能とすることができるコンピュータープログラムであって、該コンピュータープログラムがプログラマブルデバイス上で実行されるとき、本発明による方法のステップを実施するための命令又はコードの部分を含む、コンピュータープログラムに関する。
【００３５】
コンピュータープログラムに関する特徴及び利点は、本発明による方法及び装置に関して上述した特徴及び利点と同じであるので、ここでは繰り返さない。
【００３６】
本発明の特徴は、実施形態例の以下の説明を読むことによって、より明らかになるであろう。該説明は、添付の図面を参照して行われる。
【図面の簡単な説明】
【００３７】
【図１】本発明が実施されるパッシブ光ネットワークを表す図である。
【図２】本発明が実施される光回線ターミナルのアーキテクチャーを表す図である。
【図３】本発明が実施される光ネットワークユニットのアーキテクチャーを表す図である。
【図４】本発明による、アップリンクアイドル状態管理のために光回線ターミナルによって実行されるアルゴリズムの例を開示する図である。
【図５】本発明による、アップリンクアイドル状態管理のために光ネットワークユニットによって実行されるアルゴリズムの例を開示する図である。
【図６】本発明による、アップリンクアイドル状態管理のクロノグラムの例を表す図である。
【図７】本発明による、ダウンリンクアイドル状態管理のために光回線ターミナルによって実行されるアルゴリズムの例を開示する図である。
【図８】本発明による、ダウンリンクアイドル状態管理のために光ネットワークユニットによって実行されるアルゴリズムの例を開示する図である。
【図９】本発明による、ダウンリンクアイドル状態管理のクロノグラムの例を表す図である。
【発明を実施するための形態】
【００３８】
図１は、本発明が実施されるパッシブ光ネットワークを表している。
【００３９】
パッシブ光ネットワーク（ＰＯＮ）は、構内ネットワークアーキテクチャー(premises network architecture)へのポイントツーマルチポイントファイバーであり、ＰＯＮでは、電力供給されていない光スプリッターＳＰＬを使用して、単一の光ファイバーＦＯＳが光ファイバーＦ１〜ＦＫを通じて１〜Ｋ個の構内にサービス提供することを可能にする。
【００４０】
ＰＯＮは、サービスプロバイダーの中央局における光回線ターミナルＯＬＴと、光スプリッターＳＰＬと、エンドユーザーに近い複数の光ネットワークユニットＯＮＵ１〜ＯＮＵＫとから構成される。
【００４１】
ＰＯＮでは、ダウンリンク信号は、光回線ターミナルＯＬＴによって、各構内ＯＮＵ１〜ＯＮＵＫにブロードキャストされる。各構内ＯＮＵ１〜ＯＮＵＫは、光回線ターミナルＯＬＴとスプリッターＳＰＬとの間で単一のファイバーを共有する。盗聴を防ぐために暗号化が使用される。
【００４２】
光ネットワークユニットＯＮＵ１〜ＯＮＵＫによって転送されるアップリンク信号は、光回線ターミナルＯＬＴによって制御される多重アクセスプロトコルを使用して（通常は時分割多重アクセス（ＴＤＭＡ）を使用して）光回線ターミナルＯＬＴに転送される。
【００４３】
図２は、本発明が実施される光回線ターミナルのアーキテクチャーを表す図である。
【００４４】
光回線ターミナルＯＬＴは、たとえば、バス２０１によって共に接続された構成要素と、図４及び／又は図７において開示するようにプログラムによって制御されるプロセッサ２００とに基づくアーキテクチャーを有する。
【００４５】
ここで、光回線ターミナルＯＬＴのアーキテクチャーは、プロセッサに基づく代わりに、専用集積回路に基づいてもよいことに留意しなくてはならない。
【００４６】
バス２０１は、プロセッサ２００を、読み出し専用メモリＲＯＭ２０２、ランダムアクセスメモリＲＡＭ２０３、光インターフェースＩ／Ｆ２０４、及びネットワークインターフェースＩ／Ｆ２０６にリンクする。
【００４７】
メモリ２０３は、変数を収容するように意図されるレジスタと、図４及び／又は図７に開示されるようなアルゴリズムに関連するプログラムの命令とを含む。
【００４８】
プロセッサ２００は光インターフェースＩ／Ｆ２０４及びネットワークインターフェースＩ／Ｆ２０６の動作を制御する。
【００４９】
読み出し専用メモリ２０２は、図４及び／又は図７に開示されるようなアルゴリズムに関連するプログラムの命令を含む。それらの命令は、光回線ターミナルＯＬＴが電源をオンにされると、ランダムアクセスメモリＲＡＭ２０３に転送される。
【００５０】
光回線ターミナルＯＬＴは、ネットワークインターフェース２０６を通じて、図１には示していない通信ネットワークに接続される。たとえば、ネットワークインターフェース２０６は、光インターフェースであるか、又は、従来の銅ベースのネットワーク用のインターフェースである。
【００５１】
光回線ターミナルＯＬＴは、光インターフェースＩ／Ｆ２０４を通じて光ネットワークユニットＯＮＵ１〜ＯＮＵＫに接続される。
【００５２】
図３は、本発明が実施される光ネットワークユニットのアーキテクチャーを表す図である。
【００５３】
光ネットワークユニットＯＮＵは、たとえば、バス３０１によって共に接続された構成要素と、図５及び／又は図８において開示するようにプログラムによって制御されるプロセッサ３００とに基づくアーキテクチャーを有する。
【００５４】
ここで、光ネットワークユニットＯＮＵのアーキテクチャーは、プロセッサに基づく代わりに、専用集積回路に基づいてもよいことに留意しなくてはならない。
【００５５】
バス３０１は、プロセッサ３００を、読み出し専用メモリＲＯＭ３０２、ランダムアクセスメモリＲＡＭ３０３、及び光インターフェースＩ／Ｆ３０４にリンクする。
【００５６】
メモリ３０３は、変数を収容するように意図されるレジスタと、図５及び／又は図８に開示されるようなアルゴリズムに関連するプログラムの命令とを含む。
【００５７】
プロセッサ３００は光インターフェースＩ／Ｆ３０４の動作を制御する。
【００５８】
読み出し専用メモリ３０２は、図５及び／又は図８に開示されるようなアルゴリズムに関連するプログラムの命令を含む。それらの命令は、光ネットワークユニットＯＮＵが電源をオンにされると、ランダムアクセスメモリＲＡＭ３０３に転送される。
【００５９】
光ネットワークユニットＯＮＵは、ネットワークインターフェース３０６を通じて、図１には示していない通信ネットワーク又はパーソナルコンピューターのようなデバイスに接続される。たとえば、ネットワークインターフェース３０６は、従来の銅ベースのネットワーク用のインターフェースであるか、又は、無線インターフェースである。
【００６０】
図４は、本発明による、アップリンクアイドル状態管理のために光回線ターミナルによって実行されるアルゴリズムの例を開示している。
【００６１】
より正確には、本アルゴリズムは光回線ターミナルＯＬＴのプロセッサ２００によって実行される。
【００６２】
ステップＳ４００において、プロセッサ２００は、光ネットワークユニットＯＮＵ１〜ＯＮＵＫをポーリングしてそれらのキューステータスを得るために、各光ネットワークユニットＯＮＵへのメッセージの転送を命令する。たとえば、このメッセージはゲートメッセージと呼ばれる。
【００６３】
次のステップＳ４０１において、プロセッサ２００は、光インターフェースＩ／Ｆ２０４を通じて応答メッセージがいくつか受信されている場合、それらの応答メッセージの記憶を命令する。たとえば、いくつかのＰＯＮネットワークでは応答メッセージは報告メッセージと呼ばれる。報告メッセージは、該報告メッセージを転送した光ネットワークユニットＯＮＵのリソース要件を表す。
【００６４】
いくつかの他のＰＯＮネットワークでは、メッセージは、ステップＳ４００及びＳ４０１に開示されるように転送及び受信されない。
【００６５】
次のステップＳ４０２において、プロセッサ２００は、光ネットワークユニットＯＮＵ１〜ＯＮＵＫのうちの少なくとも１つがアップリンク送信に関してアイドル状態にあるか否かを検査する。
【００６６】
光ネットワークユニットＯＮＵは、アップリンク送信に使用される構成要素のうちの少なくとも一部が、それらの電力消費が低減される状態にされているとき、アップリンク送信に関してアイドル状態にある。
【００６７】
いくつかのＰＯＮネットワークでは、１つの光ネットワークユニットは、該光ネットワークユニットＯＮＵから応答が受信されない場合、アップリンク送信に関してアイドル状態にあると見なされる。
【００６８】
いくつかの他のＰＯＮネットワークでは、１つの光ネットワークユニットは、該光ネットワークユニットＯＮＵがアイドル状態にあることを通知するメッセージを該光ネットワークユニットＯＮＵが送信するとき又は送信したとき、アップリンク送信に関してアイドル状態にあると見なされる。
【００６９】
いずれの光ネットワークユニットＯＮＵもアップリンク送信に関してアイドル状態にない場合、プロセッサ２００はステップＳ４０３に進む。そうでない場合、プロセッサはステップＳ４０４に進む。
【００７０】
ステップＳ４０３において、プロセッサ２００は次のアップリンクサイクルにおけるウェイクアップ時間期間(wake up time period)（ＷＰ）を予約しない。
【００７１】
ウェイクアップ時間期間とは、アイドル状態にあった光ネットワークユニットＯＮＵが、自身がアイドル状態から出ることを要求すること（すなわちアップリンクデータ送信のためのリソースを要求すること）を光回線ターミナルＯＬＴに通知するために、光回線ターミナルＯＬＴにメッセージを転送することができる時間期間である。
【００７２】
ステップＳ４０３の後、プロセッサ２００は、従来のＰＯＮネットワークにおいて開示されたのと同様にしてリソースを光ネットワークユニットＯＮＵに割り当てる。
【００７３】
ステップＳ４０４において、プロセッサ２００は、アイドル状態にあると識別されている各光ネットワークユニットＯＮＵを識別する情報をＲＡＭメモリ２０３内に記憶する。
【００７４】
次のステップＳ４０５において、プロセッサ２００は次のアップリンクサイクルにおけるウェイクアップ時間期間ＷＰを予約する。
【００７５】
次のステップＳ４０６において、プロセッサ２００は、アイドル状態にある少なくとも１つの光ネットワークユニットＯＮＵのそれぞれに、そのサイクルにおけるウェイクアップ時間期間ＷＰのロケーションを通知する。たとえば、ウェイクアップ時間期間ＷＰのロケーションはサイクル同期メッセージに含まれる。たとえば、サイクル同期メッセージはインデックスメッセージと呼ばれる。
【００７６】
ウェイクアップ時間期間は、各光ネットワークユニットＯＮＵに共通とすることもできるし、複数のタイムスロットに再分割することもできる。アップリンク送信に関してアイドル状態にある各光ネットワークユニットＯＮＵに１つのタイムスロットを割り当てることもできるし、アップリンク送信に関してアイドル状態にあろうとなかろうと各光ネットワークユニットＯＮＵに１つのタイムスロットを割り当てることもできるし、複数のタイムスロットを割り当て、該複数のタイムスロットのそれぞれを光ネットワークユニットＯＮＵ１〜ＯＮＵＫのサブセットに割り当てることもできる。
【００７７】
次のステップＳ４０７において、プロセッサ２００は、少なくとも１つのメッセージがウェイクアップ時間期間に受信されるか否かを検査する。該少なくとも１つのメッセージは、少なくとも１つの光ネットワークユニットＯＮＵによるデータ転送要求を表す。
【００７８】
ウェイクアップ時間期間にメッセージが受信されない場合、プロセッサ２００はステップＳ４００に戻る。
【００７９】
ウェイクアップ時間期間に少なくとも１つのメッセージが受信された場合、プロセッサ２００はステップＳ４０８に進む。
【００８０】
ステップＳ４０８において、プロセッサ２００は、異なる光ネットワークユニットＯＮＵによって転送された複数のメッセージの衝突が、ウェイクアップ時間期間において、又は少なくとも１つのタイムスロットにおいて、発生するか否かを検査する。
【００８１】
異なる光ネットワークユニットＯＮＵによって転送された複数のメッセージの衝突が発生する場合、プロセッサ２００はステップＳ４０９に進む。そうでない場合、プロセッサ２００はステップＳ４１３に進む。
【００８２】
ステップＳ４０９において、プロセッサ２００は、衝突が発生したウェイクアップ時間期間（又は衝突が発生した少なくとも１つのタイムスロット）においてメッセージを転送した可能性がある光ネットワークユニットのそれぞれを識別する。
【００８３】
次のステップＳ４１０において、プロセッサ２００は、識別された光ネットワークユニットＯＮＵをポーリングしてそのキューステータスを得るために、識別された光ネットワークユニットＯＮＵ（１つ又はそれぞれ）へのメッセージの転送を命令する。たとえば、このメッセージはゲートメッセージと呼ばれる。
【００８４】
次のステップＳ４１１において、プロセッサ２００は、光インターフェースＩ／Ｆ２０４を通じて受信された応答メッセージの記憶を命令する。たとえば、応答は報告メッセージと呼ばれる。報告メッセージは、該報告メッセージを転送した光ネットワークユニットＯＮＵのリソース要件を表す。
【００８５】
いくつかのＰＯＮネットワークでは、メッセージは、ステップＳ４１０及びステップＳ４１１において転送も受信もされない。この場合、リソース要件は、光回線ターミナルＯＬＴによって実行されるアドホックなアルゴリズムによって（たとえばこれまでのアップリンクトラフィックを解析することによって）評価される。
【００８６】
次のステップＳ４１２において、プロセッサ２００は、識別された光ネットワークユニットＯＮＵ（１つ又はそれぞれ）にリソースを割り当てる。
【００８７】
リソースは報告メッセージに従って割り当てることができる。
【００８８】
このステップが完了した後、プロセッサ２００はステップＳ４００に戻る。
【００８９】
次のステップＳ４１３において、プロセッサ２００は、ステップＳ４０７で受信したメッセージを送信する光ネットワークユニットＯＮＵをポーリングしてそのキューステータスを得るために、該光ネットワークユニットへのメッセージの転送を命令する。たとえば、このメッセージはゲートメッセージと呼ばれる。
【００９０】
次のステップＳ４１４において、プロセッサ２００は、光インターフェースＩ／Ｆ２０４を通じて受信した応答メッセージの記憶を命令する。たとえば、応答メッセージは報告メッセージと呼ばれる。報告メッセージは、報告メッセージを転送した光ネットワークユニットＯＮＵのリソース要件を表す。
【００９１】
いくつかのＰＯＮネットワークでは、メッセージは、ステップＳ４１３及びステップＳ４１４において転送も受信もされない。この場合、リソース要件は、光回線ターミナルＯＬＴによって実行されるアドホックなアルゴリズムによって（たとえばこれまでのアップリンクトラフィックを解析することによって）評価される。
【００９２】
次のステップＳ４１５において、プロセッサ２００は、識別された光ネットワークユニットＯＮＵ（１つ又はそれぞれ）にリソースを割り当てる。
【００９３】
リソースは報告メッセージに従って割り当てることができる。
【００９４】
このステップが完了した後、プロセッサ２００はステップＳ４００に戻る。
【００９５】
図５は、本発明によるアップリンクアイドル状態管理のために光ネットワークユニットによって実行されるアルゴリズムの例を開示している。
【００９６】
より正確には、本アルゴリズムは各光ネットワークユニットＯＮＵのプロセッサ３００によって実行される。
【００９７】
ステップＳ５００において、プロセッサ３００は、サイクル内におけるウェイクアップ時間期間ＷＰ又はウェイクアップタイムスロットＷＳのロケーションを決定することを可能にする情報の、光インターフェースＩ／Ｆ３０４を通じた受信を検出する。たとえば、ウェイクアップ時間期間ＷＰ又はウェイクアップタイムスロットのロケーションは、サイクル同期メッセージ内に含まれる。たとえば、このサイクル同期メッセージはインデックスメッセージと呼ばれる。
【００９８】
ステップＳ５０１において、プロセッサ３００は、光ネットワークユニットＯＮＵのＲＡＭメモリ３０３内に格納されている送信キュー内にデータが含まれているか否かを検査する。
【００９９】
送信キュー内にデータが含まれている場合、プロセッサ３００はステップＳ５０２に進む。そうでない場合、プロセッサ３００はステップＳ５１３に進む。
【０１００】
ステップＳ５０２において、プロセッサ３００は、光ネットワークユニットがアップリンク送信に関してアイドル状態にあるか否かを検査する。
【０１０１】
光ネットワークユニットＯＮＵがアップリンク送信に関してアイドル状態にある場合、プロセッサ３００はステップＳ５０７に進む。そうでない場合、プロセッサ３００はステップＳ５０３に進む。
【０１０２】
ステップＳ５０３において、プロセッサ３００は、光ネットワークユニットＯＮＵのキューステータスを転送する機会を与えるメッセージの、光インターフェースＩ／Ｆ３０４を通じた受信を検出する。
【０１０３】
次のステップＳ５０４において、プロセッサ３００は、応答メッセージの、光インターフェースＩ／Ｆ３０４を通じた転送を命令する。たとえば、応答メッセージは報告メッセージと呼ばれる。報告メッセージは、光ネットワークユニットＯＮＵのリソース要件を表す。
【０１０４】
いくつかのＰＯＮネットワークでは、メッセージは、ステップＳ５０３及びステップＳ５０４において転送も受信もされない。この場合、リソース要件は、光回線ターミナルＯＬＴによって実行されるアドホックなアルゴリズムによって（たとえばこれまでのアップリンクトラフィックを解析することによって）評価される。
【０１０５】
次のステップＳ５０５において、プロセッサ３００は、アップリンク送信のために光ネットワークユニットＯＮＵに割り当てられたアップリンクリソースを識別する情報を含むメッセージの、光インターフェースＩ／Ｆ３０４を通じた受信を検出する。たとえば、このメッセージはゲートメッセージと呼ばれる。
【０１０６】
次のステップＳ５０６において、プロセッサ３００は、光ネットワークユニットＯＮＵに割り当てられたリソースにおける、送信キュー内に格納されているデータの、光インターフェースＩ／Ｆ３０４を通じた転送を命令する。
【０１０７】
このステップが完了した後、プロセッサ３００はステップＳ５００に戻る。
【０１０８】
ステップＳ５０７において、プロセッサ３００は、アップリンク送信に使用される構成要素を、アップリンク送信が動作可能な状態に設定する。
【０１０９】
次のステップＳ５０８において、プロセッサ３００は、ウェイクアップタイムスロットＷＳにおける、又はウェイクアップ時間期間期間ＷＰにおける、ウェイクアップ報告ＷＲの、光インターフェース１／Ｆ３０４を通じた転送を命令する。ウェイクアップ報告ＷＲのロケーションは、ステップＳ５００において、光回線ターミナルＯＬＴによって予め指示されている。
【０１１０】
ステップＳ５０９において、プロセッサ３００は、光ネットワークユニットＯＮＵのキューステータスを転送する機会を与えるメッセージの、光インターフェースＩ／Ｆ３０４を通じた受信を検出する。たとえば、このメッセージはゲートメッセージと呼ばれる。
【０１１１】
次のステップＳ５１０において、プロセッサ３００は、応答メッセージの、光インターフェースＩ／Ｆ３０４を通じた転送を命令する。たとえば、応答メッセージは報告メッセージと呼ばれる。報告メッセージは、光ネットワークユニットＯＮＵのリソース要件を表す。
【０１１２】
いくつかのＰＯＮネットワークでは、メッセージは、ステップＳ５０９及びステップＳ５１０において転送も受信もされない。この場合、リソース要件は、光回線ターミナルＯＬＴによって実行されるアドホックなアルゴリズムによって（たとえばこれまでのアップリンクトラフィックを解析することによって）評価される。
【０１１３】
次のステップＳ５１１において、プロセッサ３００は、アップリンク送信のために光ネットワークユニットＯＮＵに割り当てられたアップリンクリソースを識別する情報を含むメッセージの、光インターフェースＩ／Ｆ３０４を通じた受信を検出する。たとえば、このメッセージはゲートメッセージである。
【０１１４】
次のステップＳ５１２において、プロセッサ３００は、光ネットワークユニットＯＮＵに割り当てられたリソースでの、送信キュー内に格納されているデータの、光インターフェースＩ／Ｆ３０４を通じた転送を命令する。
【０１１５】
このステップが完了した後、プロセッサ３００はステップＳ５００に戻る。
【０１１６】
ステップＳ５１３において、プロセッサ３００は、光ネットワークユニットＯＮＵがアップリンク送信に関してアイドル状態にあるか否かを検査する。
【０１１７】
光ネットワークユニットＯＮＵがアップリンク送信に関してアイドル状態にある場合、プロセッサ３００はステップＳ５００に進む。そうでない場合、プロセッサ３００はステップＳ５１４に進む。
【０１１８】
ステップＳ５１４において、プロセッサ３００は、光ネットワークユニットを、アップリンク送信に関してアイドル状態に設定する。
【０１１９】
このステップが完了した後、プロセッサ３００はステップＳ５００に戻る。
【０１２０】
図６は、本発明による、アップリンクアイドル状態管理のクロノグラムの例を表している。
【０１２１】
図６の例において、光ネットワークユニットＯＮＵｋは、ウェイクアップ期間ＷＰ１の発生時にアイドル状態にある。
【０１２２】
サイクル同期メッセージは、各サイクルにおいて光回線ターミナルＯＬＴによって光ネットワークユニットＯＮＵｋへ転送される。
【０１２３】
サイクル同期メッセージＳ２は、サイクルＣｙＵ２において光回線ターミナルＯＬＴによって光ネットワークユニットＯＮＵｋに転送される。
【０１２４】
サイクルＣｙＵ３及びＣｙＵ４において光回線ターミナルＯＬＴによって光ネットワークユニットＯＮＵｋに転送されるサイクル同期メッセージは、明確にするために、図６には示されていない。
【０１２５】
たとえば、サイクル同期メッセージはインデックスメッセージと呼ばれる。
【０１２６】
インデックスメッセージはサイクル持続時間(cycle duration)を通知する。インデックスメッセージは、各光ネットワークユニットＯＮＵｋに対し、ウェイクアップ時間期間ＷＰのロケーション又はウェイクアップタイムスロットＷＳのロケーションを指示することができる。インデックスメッセージは、各ＯＮＵｋに宛てられたダウンリンクデータのロケーション及び持続時間（全ＯＮＵｋに宛てられたダウンリンクブロードキャストトラフィックのロケーション及び持続時間を含む）も指示することができる。
【０１２７】
光ネットワークユニットＯＮＵｋは、ランダムウェイクアップ期間ＷＰ１においてウェイクアップ報告を転送しない。
【０１２８】
ＣｙＵ２と表記されるサイクルの間、光ネットワークユニットＯＮＵｋはアップリンクチャネルにおいて転送すべきデータを有する。光ネットワークユニットＯＮＵｋはアクティブ状態への切り換えを要求し、サイクルＣｙＵ２のウェイクアップ期間ＷＰ２の間に光回線ターミナルＯＬＴにウェイクアップ報告ＷＲが転送される。
【０１２９】
本発明の実現の特定の様式によれば、光ネットワークユニットＯＮＵｋは、ウェイクアップ期間ＷＰ２内で該光ネットワークユニットＯＮＵｋに割り当てられた所与のウェイクアップスロットＷＳ２ｋの間に、ウェイクアップ報告ＷＲを光回線ターミナルＯＬＴに転送する。
【０１３０】
それに応答して、光回線ターミナルＯＬＴはゲートメッセージＧＴを光ネットワークユニットＯＮＵｋに転送する。
【０１３１】
ゲートメッセージＧＴの後、光ネットワークユニットＯＮＵｋは、光ネットワークユニットＯＮＵのキューステータスを表す情報を含むメッセージ報告ＲＰＴを光回線ターミナルＯＬＴに転送する。
【０１３２】
それに応答して、光回線ターミナルＯＬＴはゲートメッセージＧＴを光ネットワークユニットＯＮＵｋに転送する。ゲートメッセージＧＴは、アップリンク送信のために光ネットワークユニットＯＮＵｋに割り当てられたリソースを表す情報を含むこともできるし、かつ／又は、報告メッセージＲＰＴを送信する機会を与えるメッセージとすることもできる。
【０１３３】
ゲートメッセージＧＴの後、光ネットワークユニットＯＮＵｋは、割り当てられたリソースにおいて、データを光回線ターミナルＯＬＴに転送する。
【０１３４】
ここで、一変形形態において、ウェイクアップ報告ＷＲは光ネットワークユニットＯＮＵのキューステータスを表す情報を含むことができることに留意しなくてはならない。この場合、１つのゲートメッセージＧＴしか転送する必要がない。ＲＰＴメッセージは転送する必要がない。
【０１３５】
図６の例において、ＣｙＵ３及びＣｙＵ４と表記されるサイクルでは、アイドル状態にある光ネットワークユニットＯＮＵが存在しないため、ウェイクアップ時間期間ＷＰは含まれない。
【０１３６】
ここで、一変形形態において、ウェイクアップ時間期間ＷＰは、少なくとも１つの光ネットワークユニットＯＮＵがアイドル状態にあるという事実とは無関係に、各サイクルに挿入することができることに留意しなくてはならない。
【０１３７】
図７は、本発明による、ダウンリンクアイドル状態管理のために光回線ターミナルによって実行されるアルゴリズムの例を開示している。
【０１３８】
より正確には、本アルゴリズムは、光回線ターミナルＯＬＴのプロセッサ２００によって、図４に開示されるアルゴリズムと並行に実行されるか、又は、図４に開示されるアルゴリズムの代わりに実行される。
【０１３９】
ステップＳ７００において、プロセッサ２００は、ネットワークインターフェースＩ／Ｆ２０６を通じてデータが受信されたか否かを検査する。
【０１４０】
データが受信されていない限り、プロセッサ２００はステップＳ７００を実行する。データが受信されると、プロセッサ２００はステップＳ７０１に進む。
【０１４１】
ステップＳ７０１において、プロセッサ２００は受信データが対象とする光ネットワークユニットＯＮＵを識別する。
【０１４２】
次のステップＳ７０２において、プロセッサ２００は、識別された光ネットワークユニットＯＮＵに対する送信キュー内に受信データを格納する。
【０１４３】
次のステップＳ７０３において、プロセッサ２００は、サイクル同期メッセージを光ネットワークユニットＯＮＵ１〜ＯＮＵＫのそれぞれに転送する時間であるか否かを検査する。
【０１４４】
たとえば、サイクル同期メッセージはインデックスメッセージと呼ばれ、これは図６を参照して既に開示したものと同様である。
【０１４５】
インデックスメッセージはサイクル持続時間を通知する。インデックスメッセージは、ウェイクアップ時間期間ＷＰ又はウェイクアップタイムスロットＷＳのロケーションを光ネットワークユニットＯＮＵに示すことができる。
【０１４６】
インデックスメッセージは、ブロードキャストされた情報のロケーションを各光ネットワークユニットＯＮＵ１〜ＯＮＵＫに示すことができる。
【０１４７】
サイクル同期メッセージを転送する時間でない場合、プロセッサ２００はステップＳ７００に戻る。
【０１４８】
ステップＳ７０４において、プロセッサ２００は、光ネットワークユニットＯＮＵ１〜ＯＮＵＫのそれぞれへのサイクル同期メッセージの転送を命令する。
【０１４９】
各サイクル同期メッセージは、宛先光ネットワークユニットＯＮＵが、該宛先光ネットワークユニットＯＮＵにデータが転送される時間期間を認識することを可能にする情報をさらに含む。
【０１５０】
次のステップＳ７０５において、プロセッサ２００は、規定の時間期間における、識別された光ネットワークユニットＯＮＵへのデータの転送を命令する。
【０１５１】
このステップが完了した後、プロセッサ２００はステップＳ７００に戻る。
【０１５２】
図８は、本発明による、ダウンリンクアイドル状態管理のために光ネットワークユニットによって実行されるアルゴリズムの例を開示している。
【０１５３】
より正確には、本アルゴリズムは、各光ターミナルユニットＯＮＵ１〜ＯＮＵＫのプロセッサ３００によって、図５に開示されるアルゴリズムと並行に実行されるか、又は、図５に開示されるアルゴリズムの代わりに実行される。
【０１５４】
ステップＳ８００において、プロセッサ３００は、光回線ターミナルＯＬＴからサイクル同期メッセージを受信する時間であるか否かを検査する。たとえば、サイクル同期メッセージは図６及び図７において開示されるようなインデックスメッセージである。
【０１５５】
サイクル同期メッセージを受信する時間でない限り、プロセッサ８００はステップＳ８００を実行する。サイクル同期メッセージを受信する時間である場合、プロセッサ３００はステップＳ８０１に進む。
【０１５６】
ステップＳ８０１において、プロセッサ３００は、ダウンリンク受信に使用される構成要素を、ダウンリンク受信がアクティブであるか又は動作可能である状態（すなわちダウンリンク受信のための光ネットワークユニットの電力消費が低減されていない状態）に設定する。
【０１５７】
次のステップＳ８０２において、プロセッサ３００は、光回線ターミナルＯＬＴからの、光インターフェースＩ／Ｆ３０４を通じたサイクル同期メッセージの受信を検出する。
【０１５８】
次のステップＳ８０３において、プロセッサ３００は、光ユニットＯＮＵを、ダウンリンク受信に関してアイドル状態に設定する。
【０１５９】
光ネットワークユニットは、ダウンリンク送信に使用される構成要素のうちの少なくとも一部が、それらの電力消費が低減される状態にされているとき、ダウンリンク送信に関してアイドル状態にある。
【０１６０】
次のステップＳ８０４において、プロセッサ３００は、受信したサイクル同期メッセージに含まれる情報から、タイマーを起動する。このタイマーは、光ネットワークユニットＯＮＵが、該光ネットワークユニットＯＮＵを対象とするデータの受信を開始する持続時間を表す。
【０１６１】
次のステップＳ８０５において、プロセッサ３００は、ステップＳ８０４において起動されたタイマーが経過しているか否かを検査することによって、光回線ターミナルＯＬＴからのデータを受信する時間であるか否かを検査する。
【０１６２】
プロセッサ３００は、ステップＳ８０４において起動されたタイマーが経過している限り、ステップＳ８０５を実行する。
【０１６３】
光回線ターミナルＯＬＴからデータを受信する時間である場合、プロセッサ３００はステップＳ８０６に進む。
【０１６４】
ステップＳ８０６において、プロセッサ３００は、ダウンリンク受信に使用される構成要素を、ダウンリンク受信がアクティブであるか又は動作可能である状態に設定する。
【０１６５】
次のステップＳ８０７において、プロセッサ３００は、受信したサイクル同期メッセージに含まれる情報から、タイマーを起動する。このタイマーは、光ネットワークユニットＯＮＵが、該光ネットワークユニットＯＮＵを対象とするデータを受信する持続時間を表す。
【０１６６】
次のステップＳ８０８において、プロセッサ３００は、光回線ターミナルＯＬＴからの、光インターフェースＩ／Ｆ３０４を通じたデータの受信を検出する。
【０１６７】
次のステップＳ８０９において、プロセッサ３００は、ステップＳ８０７において起動されたタイマーが経過しているか否かを検査することによって、光回線ターミナルＯＬＴからのデータの受信を停止する時間であるか否かを検査する。
【０１６８】
光回線ターミナルＯＬＴからのデータの受信を停止する時間である場合、プロセッサ３００はステップＳ８１０に進む。そうでない場合、プロセッサ３００はステップＳ８０８に戻る。
【０１６９】
次のステップＳ８１０において、プロセッサ３００は、光ユニットＯＮＵをダウンリンク受信に関してアイドル状態に設定する。
【０１７０】
このステップが完了した後、プロセッサ３００はステップＳ８００に戻る。
【０１７１】
図９は、本発明によるダウンリンクアイドル状態管理のクロノグラムの例を表している。
【０１７２】
時間期間Ａｃｔ１〜Ａｃｔ５は、サイクル同期メッセージＳ１、Ｓ２、及びＳ３の受信又は光ネットワークユニットＯＮＵを対象とするデータＤ１及びＤ２の受信に対応する。光ネットワークユニットＯＮＵは、この時間期間Ａｃｔ１〜Ａｃｔ５において、ダウンリンクアイドル状態にない。他の場合、光ネットワークユニットＯＮＵはダウンリンクアイドル状態にある。
【０１７３】
光ネットワークユニットＯＮＵは、サイクルＣｙＤ１、ＣｙＤ２、及びＣｙＤ３のサイクル同期メッセージ内に含まれる情報から、該光ネットワークユニットＯＮＵがいつダウンリンクアイドル状態に切り換わる必要があるかを導出する。
【０１７４】
当然、本発明の範囲から逸脱することなく、上述した本発明の実施形態に対し多くの変更を成すことができる。
【図１】
2011182395.tif 000003
【図２】
2011182395.tif 000004
【図３】
2011182395.tif 000005
【図４】
2011182395.tif 000006
【図５】
2011182395.tif 000007
【図６】
2011182395.tif 000008
【図７】
2011182395.tif 000009
【図８】
2011182395.tif 000010
【図９】
2011182395.tif 000011
【外国語明細書】
2011182395.tif 000012
2011182395.tif 000013
2011182395.tif 000014
2011182395.tif 000015
2011182395.tif 000016
2011182395.tif 000017
2011182395.tif 000018
2011182395.tif 000019
2011182395.tif 000020
2011182395.tif 000021
2011182395.tif 000022
2011182395.tif 000023
2011182395.tif 000024
2011182395.tif 000025
2011182395.tif 000026
2011182395.tif 000027
2011182395.tif 000028
2011182395.tif 000029
2011182395.tif 000030
2011182395.tif 000031
2011182395.tif 000032
2011182395.tif 000033
2011182395.tif 000034
2011182395.tif 000035
2011182395.tif 000036
2011182395.tif 000037
2011182395.tif 000038
2011182395.tif 000039
2011182395.tif 000040
2011182395.tif 000041
2011182395.tif 000042